(57)【特許請求の範囲】
【請求項１】
二つの相補形帯状封緘エレメント（１１０、１２０）からなる帯状封緘具（１００）を備え、これらの相補形帯状封緘エレメントは、個別の帯状支持片（１１２、１２２）により個々に支持されており、ここにおいて、個々の帯状支持片（１１２、１２２）は、個々の帯状封緘エレメント（１１０、１２０）から隔たった局所領域（１１４、１２４）の位置で、袋の主壁（１０、２０）と一体化した端部と、該端部と対向した、袋の主壁（１０、２０）と一体化していない端部（以下、自由端という。）と、を有し、主壁上で各帯状支持片（１１２、１２２）が曲折枢動可能とされており、前記局所領域（１１４、１２４）は、一方の帯状支持片（１１２）が曲折枢動状態で袋の内部に向き、他方の帯状支持片（１２２）が曲折枢動状態で袋の口を向くように、相補形帯状封緘エレメント（１１０、１２０）の両側で各帯状支持片（１１２、１２２）のそれぞれ互いに反対側に位置している包装袋において、
帯状封緘具（１００）が力の作用を受けていない静止状態では各帯状支持片（１１２、１２２）の帯状封緘エレメント（１１０、１２０）寄りの前記自由端側が主壁（１０、２０）から間隔を開けて離れているように、各帯状支持片（１１２、１２２）がそれぞれの前記局所領域で局所的な肉厚部（１１６、１２６）を有することを特徴とする包装袋。
【請求項２】
帯状支持片（１１２、１２２）が主壁（１０、２０）上に固定された成形材からなることを特徴とする請求項１に記載の包装袋。
【請求項３】
帯状封緘具の二つの相補形帯状封緘エレメント（１１０、１２０）が雄雌嵌合タイプのものであることを特徴とする請求項１に記載の包装袋。
【請求項４】
帯状封緘具の二つの相補形帯状封緘エレメント（１１０、１２０）が互いに相補的に嵌合する帯状フックからなり、個々の帯状封緘エレメントでは帯状フックの凹部が該エレメントを支持する帯状支持片の肉厚部側に向いていることを特徴とする請求項１に記載の包装袋。
【請求項５】
帯状封緘具の二つの相補形帯状封緘エレメント（１１０、１２０）が互いに相補的に嵌合する雄形と雌形の帯状フックからなり、個々の帯状封緘エレメントでは帯状フックが該エレメントを支持する帯状支持片の肉厚部よりも自由端側に配置されていることを特徴とする請求項３に記載の包装袋。
【請求項６】
帯状封緘具（１００）が二連構造であり、各帯状支持片（１１２、１２２）がそれぞれ二連の帯状封緘エレメント（１１０、１２０）を支持していることを特徴とする請求項１に記載の包装袋。
【発明の詳細な説明】
【技術分野】
【０００１】
本発明は、包装袋の分野に関し、更に正確には、例えば相補的嵌合断面形状の開閉可能な帯状封緘具を一体に備えた包装袋の分野に関するものである。
【背景技術】
【０００２】
この種の目的に叶う数々の包装袋及び様々な帯状封緘具が既に提案されている。
【０００３】
この目的のために知られている主な帯状封緘具は、例えば雄雌嵌合タイプ、パイルアンドフック形式（起毛ループと起毛フックとの係合式）、更には相補嵌合フック形式など、それぞれ個別の帯状支持片で支持された二つの相補形帯状封緘エレメントからなる。
【０００４】
図１に仏国特許出願公開第２６２８０６７号明細書で知られている再封緘可能な包装袋の口部分を示す。
【０００５】
図１には、袋の口部分における袋本体の両主壁１０、２０が縦断面で示されている。また、両主壁１０、２０に夫々固定された帯状支持片１１２、１２２で個々に支持された雄雌二つの相補形帯状封緘エレメント１１０、１２０からなる帯状封緘具１００も縦断面で示されている。
【０００６】
更に正確には、各主壁１０、２０に対する各帯状支持片１１２、１２２の固定領域は符号１１４、１２４で示されている。
【０００７】
図１から明らかなことは、一方の主壁１０のフィルム面上における帯状支持片１１２の固定領域１１４が雄形の封緘エレメント１１０と重なっておらず、オフセットしていることである。変形形態として、同様のことは他方の主壁２０のフィルム面上における帯状支持片１２２の固定領域１２４が雌形の封緘エレメント１２０に対するオフセットとして生じる場合もある。雄形の封緘エレメント１１０がオフセットしていると、それを支持する帯状支持片が固定領域１１４の部分において主壁１０のフィルム面上で折れ曲がることになる。仏国特許出願公開第２６２８０６７号明細書に述べられているように、このような帯状封緘具の配置構造では、袋内部に作用する圧力が帯状封緘具１１０、１２０に作用しても帯状封緘具が分離されないようになっている。実際、上述の図１に示されているような配置構成のため、袋の両主壁１０、２０を（８袋を開けようとして）離反させると、それだけでは両封緘エレメント１１０、１２０を分離させることはできず、帯状支持片１１２がその固定領域によって形成される曲折枢動部周りに可能な限り折り曲げられることになる。
【先行技術文献】
【特許文献】
【０００８】
【特許文献１】仏国特許出願公開第２６２８０６７号明細書
【発明の概要】
【発明が解決しようとする課題】
【０００９】
図１に示される封緘具配置構造に合致する包装袋は既に良好に利用されている。それにも拘わらず、この形式の包装袋では未だに信頼性の高い封緘が保証できず、換言すれば少なくとも袋の再開封を充分に困難にして、包装袋の利用者に対して帯状封緘具を強制的に開かなければ袋の中身は偶然にも取り出せないことを保証できるものとはなっていない。
【００１０】
従って、本発明の目的は、袋の主壁に内側及び外側から作用する力に対して帯状封緘具が更に強く対抗するように公知の帯状封緘具を改良し、以て不正開封防止機能を備えた包装袋を提供することである。
【課題を解決するための手段】
【００１１】
上述の目的は、本発明の基本理念の範疇に属する包装袋によって解決され、この包装袋は、二つの相補形帯状封緘エレメント（１１０、１２０）からなる帯状封緘具（１００）を備え、これらの相補形帯状封緘エレメントは、個々の帯状封緘エレメント（１１０、１２０）から隔たった局所領域（１１４、１２４）の位置で袋の主壁（１０、２０）と一体化された個別の帯状支持片（１１２、１２２）により個々に支持されて主壁上で各帯状支持片（１１２、１２２）が曲折枢動可能とされており、前記局所領域（１１４、１２４）は、一方の帯状支持片（１１２）が曲折枢動状態で袋の内部に向き、他方の帯状支持片（１２２）が曲折枢動状態で袋の口を向くように、相補形帯状封緘エレメント（１１０、１２０）の両側で各帯状支持片（１１２、１２２）のそれぞれ互いに反対側に位置している。特に本発明による包装袋は、帯状封緘具（１００）が力の作用を受けていない静止状態では各帯状支持片（１１２、１２２）の帯状封緘エレメント（１１０、１２０）寄りの自由端側が主壁（１０、２０）から間隔を開けて離れているように、各帯状支持片（１１２、１２２）がそれぞれの前記局所領域で局所的な肉厚部（１１６、１２６）を有することを特徴とする。
【００１２】
本発明の好適な一実施形態によれば、帯状支持片（１１２、１２２）は主壁（１０、２０）上に固定された成形材からなる。
【００１３】
本発明の別の好適な一実施形態によれば、帯状封緘具（１００）の各帯状封緘エレメントを支持する帯状支持片（１１２、１２２）は袋の主壁（１０、２０）上に固定された付加的な帯状片によって支持されている。
【００１４】
本発明の更に別の好適な一実施形態によれば、帯状封緘具の二つの相補形帯状封緘エレメント（１１０、１２０）は雄雌嵌合タイプのものである。
【００１５】
本発明の更に別の好適な一実施形態によれば、帯状封緘具の二つの相補形帯状封緘エレメント（１１０、１２０）は互いに相補的に嵌合する帯状フックからなり、個々の帯状封緘エレメントでは帯状フックの凹部が該エレメントを支持する帯状支持片の肉厚部側に向いている。
【００１６】
本発明の更に別の好適な一実施形態によれば、帯状封緘具の二つの相補形帯状封緘エレメント（１１０、１２０）は互いに相補的に嵌合する雄形と雌形の帯状フックからなり、個々の帯状封緘エレメントでは帯状フックが該エレメントを支持する帯状支持片の肉厚部よりも自由端側に配置されている。
【００１７】
本発明の更に別の好適な一実施形態によれば、帯状封緘具（１００）が二連構造であり、各帯状支持片（１１２、１２２）がそれぞれ二連の帯状封緘エレメント（１１０、１２０）を支持している。
【００１８】
本発明のその他の特徴と目的及び利点は、限定を意図しない幾つかの実施例を示す添付図面による以下の詳細な説明から明らかとなる。
【図面の簡単な説明】
【００１９】
【図１】既に述べた従来技術による包装袋の口部分を模式的に示す部分断面図である。
【図２ａ】封緘状態の帯状封緘具が力の作用を受けていない静止状態にあるときの本発明の第１実施例による包装袋を模式的に示す一部省略断面図である。
【図２ｂ】図２ａの包装袋の口を開くように両主壁を引っ張って拡げたときの同様の断面図である。
【図３ａ】封緘状態における本発明の第２実施例による包装袋を模式的に示す一部省略断面図である。
【図３ｂ】図３ａの包装袋の口を開くように両主壁を引っ張って拡げたときの同様の断面図である。
【図４ａ】封緘状態における本発明の第３実施例による包装袋を模式的に示す一部省略断面図である。
【図４ｂ】図４ａの包装袋の口を開くように両主壁を外側方へ引っ張って拡げたときの同様の断面図である。
【図５】封塞状態における本発明の第４実施例による包装袋を模式的に示す一部省略断面図である。
【発明を実施するための最良の形態】
【００２０】
図２ａ〜図５は本発明による包装袋を示しており、この袋を構成する両面の主壁１０、２０自体は従来と同様のものである。以下の説明では、この袋の一般的な構造や性状については詳細な記述を省略する。
【００２１】
袋の主壁１０、２０には、本発明による種々の実施形態の特徴要素を設けることができる。
【００２２】
好適には、主壁は熱可塑性プラスチック材からなる。
【００２３】
即ち、主壁１０、２０は、単層または多層フィルムで構成でき、或いは単一素材又は複合素材で構成することができる。用途に適合する場合は、主壁を紙製支持層にプラスチック層を積層した複合フィルムで構成しても良く、或いは金属メッキプラスチックフィルムで構成することもできる。
【００２４】
製袋は一枚のフィルムシートを二つ折りに重ねて三辺を溶接したり、或いは二枚のフィルムシートを重ねて両主壁の接続稜線となる縁に沿って三辺を溶接することによって果たすことができる。
【００２５】
図２ａ〜図５には帯状封緘具１００も示されており、この帯状封緘具は、互いに向かい合う二つの相補形帯状封緘エレメント１１０、１２０によって構成されている。
【００２６】
このような帯状封緘具において、本発明の特徴部分を除く一般的な構成は公知であるので以下の説明では詳述しない。帯状封塞具１００の形式としては、互いに相補的に嵌合する帯状フックによるもの（図２ａと図２ｂ）、或いは雄雌嵌合タイプによるもの（図３ａ〜図５）等々とすることができる。
【００２７】
帯状封緘具１００の封緘エレメント１１０、１２０は、個別の帯状支持片１１２、１２２により個々に支持されて主壁１０、２０上で各帯状支持片１１２、１２２の曲折枢動が可能とされている。
【００２８】
図示の各実施例では、曲折可能な帯状支持片１１２、１２２は成形材からなるものであり、更に詳細には、押出成形機から袋の主壁１０、２０上に押し出され、それらの局部領域１１４、１２４（図１参照）で主壁面に接合固着された帯状成形材によって形成されている。
【００２９】
変形例として、帯状封緘具の各帯状封緘エレメントを支持する曲折可能な帯状支持片１１２、１２２は、袋の主壁１０、２０上に溶接で固定された付加的な帯状片によって支持されていても良い。
【００３０】
ここで、曲折枢動可能な帯状支持片１１２、１２２と袋の主壁１０、２０との接合固着を果たしている局部領域１１４、１２４は、曲折枢動可能な帯状支持片１１２、１２２上における帯状封緘エレメント１１０、１２０の基部接合領域１１１、１２１と位置が重なっておらず、帯状支持片の幅方向（図の上下方向）でずれた（オフセットした）位置にあることに注意すべきである。即ち、局所領域１１４、１２４は、帯状支持片の幅方向に関して、主壁１０、２０の各内面上における相補形帯状封緘エレメント１１０、１２０の片側で各帯状支持片１１２、１２２のそれぞれ互いに反対側に位置している。
【００３１】
一方の帯状支持片１１２は、その局所領域１１４が袋の口側となる向きに配置して該帯状支持片１１２の自由端側が袋の内部へ向くようにし、これに対し、他方の帯状支持片１２２は、その局所領域１２４が袋の底側となる向きに配置して該帯状支持片１２２の自由端側が袋の口へ向くようにすることが好ましい。これにより、両局所領域１１４、１２４における主壁１０、２０上での各帯状支持片１１２、１２２の曲折が帯状支持片の幅方向（図の上下方向）で離れた位置で生じることになる。
【００３２】
以上に述べたような配置構成のため、図２ｂ及び図３ｂに示すように、両封緘エレメント１１０、１２０が互いにかみ合っている状態（封緘状態）で袋の口部分の両主壁１０、２０を外側方両側へ引き離して口を開けようとすると、各帯状支持片１１２、１２２はそれぞれの局所領域１１４、１２４の近傍位置において主壁１０、２０上で曲折枢動し、互いに整列状態の係合を維持したまま主壁内面上で起き上がり、これは、両帯状支持片１１２、１２２に対する力が、上述のように袋の外部から作用する場合（利用者が袋の口を開く操作による場合）であっても、或いは袋の内部から作用する場合（袋の内容物の嵩の膨張による場合）であっても、いずれも同様である。
【００３３】
従って袋の開封操作は従来よりも困難となっており、これは、両主壁１０、２０に対して外側方両側へ向かって作用する力が帯状支持片１１２、１２２の曲折枢動機能によって弱められるからであり、これにより先ずはじめに両主壁１０、２０の封緘エレメント１１０、１２０を互いに外側へ向かって引き離そうとする力が両帯状支持片の曲折枢動を引き起こし、その後、係合状態の両封緘エレメント１１０、１２０によって耐えていた力が両封緘エレメント間の係合を解く力に変換される。
【００３４】
袋の主壁１０、２０上における帯状支持片１１２、１２２の曲折枢動機能は、図２ａ〜図５に示すように、両帯状支持片１１２、１２２が局所領域１１４、１２４の部分に厚肉部１１６、１２６を有する場合に更に改善される。この厚肉部１１６、１２６は、封緘具１００が力の作用を受けていない静止状態において、各帯状支持片１１２、１２２における封緘エレメント１１０、１２０寄りの自由端側が対応する主壁１０、２０から間隔を開けて離れているように形成される。従って、この静止状態では、帯状支持片１１２、１２２の機能上の主要軸心は、主壁１０、２０の厚み中心線に対して肉厚部の厚さ分に応じた量でオフセットしている。
【００３５】
これらの実施例における厚肉部付きの帯状支持片１１２、１２２は、主壁１０、２０上での曲折枢動機能を高めることが確認されている。実際に、このような厚肉部を設けることにより、帯状支持片１１２、１２２の自由端側部分、特に帯状支持片１１２、１２２の局所的な厚肉部１１６、１２６から自由端側に延在する封緘エレメント支持部分を応力に関してリラックスさせることができ、その結果、この封緘エレメント支持部分における帯状支持片１１２、１２２の弾性変形を容易にして外部又は内部から作用する力を更に弱めることができる。
【００３６】
尚、両帯状支持片１１２、１２２は、ともに上述のような厚肉部１１６、１２６を有することが好ましく、それにより帯状封緘具１００の曲折枢動機能を最適化することができる。
【００３７】
両封緘エレメント間の係合を解く力に対する抗力は、特に図２ｂ、図３ｂ、図４ｂから理解されるように、二連構造の帯状封緘具１００を採用することにより更に改善される。二連構造の帯状封緘具の典型的な形態としては、互いに相補的に嵌合し合う帯状フック形態の二連の封緘エレメント１００ａ、１００ｂ、１２０ａ、１２０ｂによるもの（図２ａと図２ｂ）や、雄雌嵌合タイプの二連の封緘エレメント１００ａ、１００ｂ、１２０ａ、１２０ｂによるもの（図３ａと図３ｂ、又は図４ａと図４ｂ）を挙げることができる。これに対し、単連構造の帯状封緘具１００は雄雌嵌合タイプの帯状封緘エレメント１１０、１２０をそれぞれ単一条で備えている（図５）。
【００３８】
実際に単連構造の帯条封緘エレメントを使用した場合は、互いに係合する封緘エレメント同士の接触部位にも補足的な曲折枢動運動が生起され、これが帯条支持片１１２、１２２に起因するレバーアーム作用を生じる。これに対して、二連構造の帯条封緘エレメント１１０、１２０を使用した場合は係る補足的な曲折枢動運動が互いに相殺され、袋の封緘の剛性が高くなるので、外部からも内部からも袋の開封は更に困難になる。
【００３９】
図２ａと図２ｂに示す実施例においては、相補的な帯条フック形態の二連の封緘エレメント１１０ａ、１１０ｂ、１２０ａ、１２０ｂを採用しているが、この場合、個々の帯状封緘エレメントにおける帯状フックの凹部を該エレメントを支持する帯状支持片の曲折部側、即ち肉厚部側に向くように構成してあるので、袋の開封は更に困難になっている。実際に確かめてみたが、図２ａに示す状態において、一例として袋の内圧を高めて両主壁に離反方向の力を作用させると、二連の帯条フック１１０ａと１１０ｂ及び１２０ａと１２０ｂは図２ａで左右方向へ離反移動して互いの係合を強めようとし、更に内圧を高くすると二連の帯状フックが係合状態のまま半と径方向に曲折枢動して水平姿勢となり、さらに内圧を高めると帯条フック同士の係合が更に強まり、不意な開封は充分に困難であった。
【００４０】
結果的に、このような封緘具を備えた包装袋は開封するのに充分な力と時間を要し、不正開封防止包装袋として利用可能であることが確認された。
【００４１】
図３ａと図３ｂ或いは図４ａと図４ｂに示すように、雄雌嵌合タイプの帯条封緘エレメント１１０ａ、１１０ｂ、１２０ａ、１２０ｂも、その帯条支持片の自由端側に雄雌の封緘エレメント同士が良好に係合し合うように構成することができる。特に強固な封緘を果たす典型的な例として、図４ａと図４ｂに示す実施例では雄形の帯条封緘エレメントはＶ字状断面形状のレールで構成され、そのＶ字辺の両端には内側へ向けて屈曲辺が設けられており、相補的な雌形の帯条封緘エレメントの自由端に配置された外被構造に向けて屈曲フックとして係合するようになっている。
【００４２】
本発明は以上に述べた各実施例に限定されるものではなく、本発明の基本理念の範疇に属する各種の変形形態も包含するものであることは述べるまでもない。
【００４３】
例えば、図３ａと図３ｂに示した実施例では曲折枢動可能な一方の帯状支持片１１２が雄形の帯状封緘エレメント１１０ａ、１１０ｂを支持し、他方の帯状支持片１２２が雌形の帯状封緘エレメント１２０ａ、１２０ｂを支持しているが、変形例として、一方の帯状支持片１１２が雌形の帯状封緘エレメント１２０ａ、１２０ｂを支持し、他方の帯状支持片１２２が雄形の帯状封緘エレメント１１０ａ、１１０ｂを支持しているものも本発明の範疇である。
【００４４】
本発明による包装袋の構造において、帯状封緘具１００及び曲折枢動可能な帯状支持片１１２、１２２は熱可塑性プラスチック製とすることが好ましい。
【００４５】
また、要すれば、帯状封緘具１００には開閉用スライダー（カーソル）を付加して開閉操作に供してもよい。
【００４６】
そのような開閉用スライダーの一般的構造自体は公知であり、従ってその詳細な説明は省略するが、通常、この種の開閉用スライダーはソール部を有し、該ソール部が両側の側壁と中央の隔壁を支承している。両側壁の間に隔壁で仕切られた二条の溝が形成されており、各溝がそれぞれ両主壁１０，２０の帯状封緘エレメントを個別に掬ってスライド方向に応じて帯状封緘具１００に開閉の力を作用させるようになっている。
【図１】
0005996172.tif 000002
【図２ａ】
0005996172.tif 000003
【図２ｂ】
0005996172.tif 000004
【図３ａ】
0005996172.tif 000005
【図３ｂ】
0005996172.tif 000006
【図４ａ】
0005996172.tif 000007
【図４ｂ】
0005996172.tif 000008
【図５】
0005996172.tif 000009